(57)【要約】  本発明は、超音波で有機水晶体の生体内での断片化を行うための眼科手術器具用の中空ニードルに関する。中空ニードルは、基端部（１）に形成されて眼科手術器具に連結するための接続領域（２）と、先端部（３）に形成されて超音波を放射するための有効面（５）を有するニードルヘッド（４）を備える。水晶体の断片を吸引するための吸引チャンネル（６）は、中空ニードル内を軸方向に延び、吸引チャンネル（６）の開口部（７）は、有効面（５）によって終端される。本発明の中空ニードルは、ニードルヘッド（４）内の円錐状に形成された吸引チャンネルの少なくとも一部が基端部（１）の方向に延び、吸引チャンネルの壁（１０）に形成された複数の部分（９）がこの円錐状の領域を軸方向に延びている。【選択図】図７
2018516639.tif 000002
【特許請求の範囲】
【請求項１】
超音波で有機水晶体の生体内での断片化を行うための眼科手術器具用の中空ニードルであって、
前記中空ニードルは、基端部（１）に形成され、前記眼科手術器具に連結する接続領域（２）と、先端部（３）に形成されて超音波を放射する有効面（５）を有するニードルヘッド（４）を備え、
水晶体の断片を吸引するための吸引チャンネル（６）は、前記中空ニードル内を軸方向に延在し、
前記吸引チャンネル（６）の開口部（７）は、前記有効面（５）によって終端され、
前記ニードルヘッド（４）内の円錐状に形成された吸引チャンネル（６）は、少なくともその一部が基端部（１）方向に延在し、
前記吸引チャンネル（６）の壁（１０）に形成された複数の部分（９）は、円錐状領域を軸方向に延びていることを特徴とする中空ニードル。
【請求項２】
切れ込み、特に、四面体型の切れ込みが、前記ニードルヘッド（４）の先端部（３）の直ぐ近くの位置で、前記吸引チャンネル（６）の壁（１０）に形成されていることを特徴とする、請求項１に記載の中空ニードル。
【請求項３】
前記複数の部分（９）が、多角形、特に、三角形の横断面を有することを特徴とする、請求項１または請求項２に記載の中空ニードル。
【請求項４】
前記複数の部分（９）が、周方向に放射状に対称または非対称に設けられることを特徴とする、請求項１から請求項３のいずれか1項に記載の中空ニードル。
【請求項５】
円錐状領域（８）が、前記中空のニードルヘッド（４）の一部または全体に渡って延在することを特徴とする、請求項１から請求項４のいずれか1項に記載の中空ニードル。
【請求項６】
前記円錐状領域（８）が、前記先端部（３）の直ぐ近くから始まる、または、前記先端部（３）から前記基端部（１）の方向にずれて始まることを特徴とする、請求項１から請求項５のいずれか1項に記載の中空ニードル。
【請求項７】
前記複数の部分（９）が、前記円錐状領域（８）を超えて基端部（１）の方向に延在することを特徴とする、請求項１から請求項６のいずれか1項に記載の中空ニードル。
【請求項８】
前記ニードルヘッド（４）の外壁（１１）が、丸型または多角形、例えば、長方形、五角形、六角形または八角形に設計されることを特徴とする、請求項１から請求項７のいずれか1項に記載の中空ニードル。
【請求項９】
前記有効面（５）が、軸方向に対して垂直または斜めに延在することを特徴とする、請求項１から請求項８のいずれか1項に記載の中空ニードル。
【請求項１０】
前記有効面（５）が、軸方向に対して異なる角度で延在する２つの有効面領域（１３、１４）を備え、
前記有効面（５）が、クチバシ型に設計されることを特徴とする、請求項１から請求項８のいずれか1項に記載の中空ニードル。
【請求項１１】
前記有効面（５）が、外縁部で終端され、
前記外縁部が、面取り、鈍端または鋭端に設計されることを特徴とする、請求項１から請求項８のいずれか1項に記載の中空ニードル。
【発明の詳細な説明】
【技術分野】
【０００１】
本発明は、超音波で有機水晶体の生体内での断片化を行うための眼科手術器具用の中空ニードルに関し、この中空ニードルは、基端部に形成されて眼科手術器具に連結するための接続領域と、先端部に形成されて超音波を放射するための有効面を有するニードルヘッドを備え、水晶体の断片を吸引するための吸引チャンネルは、中空ニードル内を軸方向に延在し、その開口部は、この有効面によって終端される。
【背景技術】
【０００２】
上記タイプの中空ニードルは、実際に長年にわたって知られている。
このような中空ニードルは、米国特許出願第６，０７４，３９６Ａ号に開示されている。
そこでは、ニードルヘッド内の吸引チャンネルが段差を有して設計され、段差の少なくともいくつかにはプリズム形状の部分が備えられているため、水晶体の断片化が向上する。
【０００３】
さらに、ドイツ特許出願公開第１９６  ４６  ８８１  Ｃ１号には、眼科用に使用される中空ニードルが開示される。
この眼科手術器具用の中空ニードルは、高周波動作を行う中空ニードルによって水晶体の生体内での断片化を行い、同時に、中空ニードル内部の吸引チャンネルを用いて水晶体の吸引を行うために用いられる。
この中空ニードルは、吸引チャンネルの開口部を形成する円形端面を有する。
【０００４】
超音波動作を行う汎用型の中空ニードルは、眼科手術の白内障手術用に用いられる。
中空ニードルの自由端を高周波運動で作動させながら白内障患部に直接接触させる。
円形端面から超音波が放射され、組織が乳化される。
摘出された水晶体部位または水晶体組織片は、目にさした洗浄液と共に中空ニードル内を通過し取り除かれる。
【０００５】
放射する超音波場の強化を図るため、中空ニードルの前方または先端部、つまり、有効面を鋸歯状に設計することがすでに知られている。
その結果、超音波の放射に使用する有効面が拡張され、眼科手術器具または中空ニードルの効率が向上する。
【発明の概要】
【発明が解決しようとする課題】
【０００６】
しかし、実際には、周知の中空ニードルは、水晶体の断片化に非常に時間がかかるため、いくつかの問題を抱える。
外科手術による患者のストレスをできるだけ低く抑えるため、手術時間を最小限にする取り組みが行われている。
別の問題として、大きめの水晶体組織片が汎用型の中空ニードルに吸引された場合、吸引チャンネル内での破砕が極めて遅く、吸引チャンネルが詰まることが時折生じる。
【課題を解決するための手段】
【０００７】
従って、本発明の目的は、単純な構造によって短時間で有機水晶体の断片化を効率的に行うことのできる、汎用型の眼科手術器具用の中空ニードルを提供することである。
【０００８】
本発明によると、上記課題は、請求項１に記載の特徴によって解決される。
つまり、有機水晶体の生体内での断片化を行う眼科手術器具用の中空ニードルは、ニードルヘッド内の円錐状に形成された吸引チャンネルが、少なくともその一部が基端部の方向に延び、吸引チャンネルの壁に形成された複数の部分（ｓｅｃｔｉｏｎｓ）が、この円錐状の領域を軸方向に延びていることを特徴とする。
【０００９】
まず、上記の根本的課題が、ニードルヘッド内の吸引チャンネルの幾何学的構成によって解決される。
この目的で、ニードルヘッド内の吸引チャンネルを円錐状に形成し、少なくともその一部を基端部の方向に延ばし、ニードルヘッド内の吸引チャンネルの基端部の方向の直径を小さくする。
その結果、吸引チャンネル内に径方向に延びる段差またはエッジが存在せず、そこに、水晶体の組織片が、はまり込み、吸引チャンネルを詰まらせることがない。
吸引チャンネルの壁を構成する複数の部分を、円錐状領域の全体に渡って軸方向に延ばすという、単純な方法によって水晶体の断片化が向上できることが分かった。
このような単純な構造で超音波の放射が最適化され、有機水晶体の断片化が向上できる。
同時に、円錐状に設計された吸引チャンネルと円錐状領域に配置された複数の部分の組み合わせ効果により、水晶体の組織が素早く確実に断片化される。
【００１０】
切れ込み、特に、四面体型の切れ込みが、ニードルヘッドの先端部の直ぐ近くの位置で、吸引チャンネルの壁に形成される。
これらの切れ込みは、周方向に、例えば、放射状に対称に設置することができる。
この領域では、吸引チャンネルの直径もまた拡大される。
このような設計では、中空ニードルの先端部の直ぐ近くで超音波の放射が最大となるため、断片化の効率が向上し、好ましい。
【００１１】
特定の場合として、複数の部分を多角形断面にすることができる。
例えば、複数の部分を三角形断面とすることで、その製造が容易となる。
このような構造では、吸引チャンネルの壁を構成する複数の部分の相互間で歯状構造が実現され、特に、水晶体の硬い部分の断片化に有用である。
【００１２】
断片化する水晶体の硬さに応じて、複数の部分を、周方向に、放射状に対称または非対称に設置することができる。
【００１３】
円錐状領域は、中空ニードルヘッドの一部に延びる。
さらに、円錐状領域は、ニードルヘッドの全体に渡り延ばすこともでき、その場合、円錐形表面で超音波の放射が最大になる。
【００１４】
さらに好ましくは、円錐状領域は、中空ニードルの先端部の直ぐ近くから開始され、その場合、既に吸引されて吸引チャンネルの開始部にある水晶体組織片に対して最大の超音波が適用される。
切れ込みが、吸引チャンネルの先端部に設けられる場合、円錐状領域を切れ込み位置の直ぐ後から始めることができる。
さらに、円錐状領域を先端部から離れた位置、つまり、基端部の方向側から始めることもできる。
このような構造は、特に、水晶体を軽く断片化する場合に適している。
【００１５】
いわゆる「ジャックハンマー部」をさらに拡張、つまり、中空ニードルの効率を向上させるために、複数の部分を円錐状領域を超えて基端部の方向に延ばすことができる。
さらに、この効果を上げるため、ニードルヘッドの外壁を多角形、例えば、長方形、五角形、六角形または八角形に形成することができる。
断片化する水晶体の周りの組織を保護するため、ニードルヘッドの外壁を丸みを帯びた設計にすることもできる。
【００１６】
有効面を軸方向に対して斜めに設置し、有効面を拡張することができる。
さらに、周辺組織を傷つけないために、有効面を軸方向に対して垂直に設置することも可能である。
【００１７】
有効面は、軸方向に対して異なる角度で延在する２つの有効面領域を備える。
この場合、有効面は、クチバシ型に設計される。
クチバシ状の幾何学的配置により、効率的で集中した超音波の放射が可能となり、断片化が困難な水晶体の領域、例えば、長い間放置された白内障部位が、迅速に破壊される。
【００１８】
さらに、有効面は、面取り、鈍端または鋭端に設計された外縁部で終端される。
面取りまたは鈍端に設計された縁部は、周辺組織を傷つけないために使用される。
鋭端に設計された外縁部により、効果的な水晶体の断片化が可能となる。
【００１９】
本発明を好ましい態様にさらに発展させることが可能である。
この目的で、請求項１に従属する請求項、ならびに後述の図面を参照した発明の実施形態を参照されたい。
発明の実施形態を図面を参照しながら、実施形態及び技術的な教示のさらなる発展について論じられる。
図面は、以下の通りである。
【図面の簡単な説明】
【００２０】
図１は、本発明の中空ニードルの第1実施形態の概略図である。
図２は、本発明の中空ニードルの別の実施形態の概略図である。
図３は、図１の中空ニードルの概略正面図である。
図４は、図２の中空ニードルの概略正面図である。
図５は、本発明の中空ニードルのニードルヘッドの一実施形態における拡大概略図である。
図６は、図４に示した本発明の中空ニードルのニードルヘッドの一実施形態における拡大概略図である。
図７は、本発明の中空ニードルのニードルヘッドのさらに別の実施形態における拡大断面図である。
図８は、本発明の中空ニードルのニードルヘッドのさらに別の実施形態における拡大概略図である。
図９は、本発明の中空ニードルのニードルヘッドのさらに別の実施形態における拡大概略図である。
図１０は、本発明の中空ニードルのニードルヘッドのさらに別の実施形態における概略図である。
図１１は、本発明の中空ニードルのニードルヘッドのさらに別の実施形態における拡大概略図である。
【発明を実施するための最良の形態】
【００２１】
図１は、本発明の眼科手術器具用の中空ニードルの第１実施形態における概略図であり、該中空ニードルは、超音波を用いて有機水晶体を生体内で断片化する。
中空ニードルは、基端部１に形成されて眼科手術器具（図示せず）に連結するための接続領域２と、先端部３に形成されるニードルヘッド４を備えている。
ニードルヘッド４は、超音波を放射するための有効面５を有している。
水晶体の断片を吸引するための吸引チャンネル６は、中空ニードル内を軸方向に延び、吸引チャンネル６の開口部７は、有効面５によって終端される。
本実施形態では、吸引チャンネル６は、中空ニードルの対称軸と同軸に延びている。
【００２２】
ニードルヘッド４内の吸引チャンネル６は、円錐状に形成され、少なくともその一部が基端部１の方向に延びている。
吸引チャンネル６の壁１０には、円錐状領域の全体に渡って軸方向に延びる複数の部分９が設けられている。
複数の部分９は、周方向において放射状に対称に設けられている。
図面では、複数の部分９の一つにのみ参照番号を付してある。
【００２３】
図面において、ニードルヘッド４の外壁１１は、八角形に設計され、水晶体の断片化を行う際の「ジャックハンマー部」を拡大させる。
【００２４】
図２は、本発明の中空ニードルの別の実施形態の概略図を示す。
図２の実施形態は、ニードルヘッド４の外壁１１が丸みを帯びた設計である以外は、図１の実施形態に対応する。
図２の中空ニードルは、特に、組織温存しながらの水晶体の断片化に適する。
【００２５】
図３は、図１の中空ニードルの概略正面図である。
ニードルヘッド４の八角形の外壁１１が、明瞭にわかる。
さらに、図３では、ニードルヘッド４内の円錐状に形成された吸引チャンネル６が、基端部１の方向に延び、吸引チャンネル６に含まれる複数の部分９が、軸方向に延びていることが明瞭に示されている。
吸引チャンネル６は、中空ニードルの対称軸と同軸に延びている。
複数の部分９を三角形断面とすることで、壁１０の複数の部分間で歯１２が実現される。
図面では、歯１２の一つにのみ参照番号を付してある。
【００２６】
図４は、図２の中空ニードルの概略正面図である。
この図からも、外壁１１が丸みを帯びた設計であることが明瞭にわかる。
さらに、図４の実施形態は、図１と図３の実施形態に相当する。
【００２７】
図５は、本発明の中空ニードルのニードルヘッド４の一実施形態における拡大概略図である。
ここでは、外壁１１が、四角形に設計されている。
さらに、図５は、図１と図３の実施形態に相当するため、さらなる実施形態の図示を省略する。
【００２８】
図６は、図４の中空ニードルのニードルヘッド４の拡大概略図である。
この図から、複数の部分９が断面三角形状であることがわかり、そのことで、歯１２が実現可能となっている。
【００２９】
図７は、本発明の中空ニードルのニードルヘッド４のさらに別の実施形態における拡大断面図である。
図７の実施形態では、円錐状領域８がニードルヘッド４の先端部３の直ぐ近くから始まる。
円錐状領域８は、ニードルヘッド４の全体に渡って延びている。
複数の部分９は、円錐状領域８を超えて基端部１の方向に延びている。
【００３０】
図８は、本発明の中空ニードルのニードルヘッド４のさらに別の実施形態における拡大概略図である。
ニードルヘッド４の外壁１１は、八角形に設計される。
さらに、有効面５は、軸方向に対して直角に延在するため、有効面５が拡大される。
また、吸引チャンネル６が、中空ニードルの対称軸と同軸ではなく、平行にずれて延びている様子が示される。
【００３１】
図９は、本発明の中空ニードルのニードルヘッド４のさらに別の実施形態における拡大概略図である。
ニードルヘッド４は、丸みを帯びた設計の外壁１１を有する。
有効面５は、軸方向に対して直角に延在する。
この場合でも、吸引チャンネル６は、中空ニードルの対称軸と同軸ではなく、平行にずれて延在する。
【００３２】
図１０は、本発明の中空ニードルのニードルヘッド４のさらに別の実施形態における拡大概略図である。
この実施形態では、ニードルヘッド４の有効面５は、２つの有効面領域１３、１４を備える。
第一有効面領域１３は、軸方向に対して第二有効面領域１４とは異なる角度で延在するため、有効面５は、クチバシ型に設計される。
このような構造により、特に大きな「ジャックハンマー部」が得られ、水晶体が効果的に断片化される。
外壁１１は、丸みを帯びた設計である。
しかし、外壁１１は、多角形、例えば、長方形または八角形にも設計できる。
【００３３】
図１１は、本発明の中空ニードルのニードルヘッド４のさらに別の実施形態における拡大概略図である。
この実施形態では、ニードルヘッド４の有効面５は、２つの有効面領域１３、１４を備える。
第一有効面領域１３は、軸方向に対して第二有効面領域１４とは異なる角度で延在するため、有効面５は、クチバシ型に設計される。
また、図１１では、第二有効面領域１４が径方向の外部遠方へ配置されるため、吸引チャンネル６が第二有効面領域１４の端まで到達していないことが示される。
【００３４】
本発明のさらに別の実施形態については、明細書の説明と請求項を参照されたい。
【００３５】
最後に、上述した本発明の実施形態は、請求項を説明することのみを目的としており、これらの実施形態に制限されない。
【符号の説明】
【００３６】
１  ・・・基端部
２  ・・・接続領域
３  ・・・先端部
４  ・・・ニードルヘッド
５  ・・・有効面
６  ・・・吸引チャンネル
７  ・・・開口部
８  ・・・円錐状領域
９  ・・・部分（ｓｅｃｔｉｏｎ）
１０  ・・・壁（吸引チャンネル）
１１  ・・・外壁
１２  ・・・歯
１３  ・・・第一有効面領域
１４  ・・・第二有効面領域
【図１】
2018516639.tif 000003
【図２】
2018516639.tif 000004
【図３】
2018516639.tif 000005
【図４】
2018516639.tif 000006
【図５】
2018516639.tif 000007
【図６】
2018516639.tif 000008
【図７】
2018516639.tif 000009
【図８】
2018516639.tif 000010
【図９】
2018516639.tif 000011
【図１０】
2018516639.tif 000012
【図１１】
2018516639.tif 000013
【国際調査報告】
2018516639.tif 000014
2018516639.tif 000015
2018516639.tif 000016
2018516639.tif 000017
2018516639.tif 000018
2018516639.tif 000019